【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
少なくとも１本のガイド軸(21)に沿って移動し、画像読取り部(54)を下側に向けて画像を走査する読取りモジュール(５)及び該読取りモジュール(５)を水平状態に支持する水平支持部材を具えたイメージスキャナ(２)と、該イメージスキャナ(２)の画像読取り部(54)の下側に検査対象物を搬送する搬送手段と、読取りモジュール(５)が走査した画像を処理してモニター(11)に表示する手段を設け、
イメージスキャナ(２)の下面には、検査対象物に対向して透明カバー(24)が設けられ、イメージスキャナ(２)には、画像読取り部(54)と検査対象物との焦点距離を合わせる為に上下間隔及び傾きθ１を微調整する第１の手段と、検査画像を読みとる為の平面位置及び角度θ２の微調整をする第２の手段を設けたことを特徴とする検査装置。
【請求項２】
第１及び第２の手段は、ステー(300)を介して設けられた、請求項１に記載の検査装置。
【請求項３】
イメージスキャナ(２)は枢支(60)を中心として上向きに回動可能、又は奥向きにスライド可能に設けられて、検査終了後に、上向きに回動又は奥向きスライドされて、プリント基板(４)を取り出し可能に開放する、請求項１又は２に記載の検査装置。
【請求項４】
検査対象物を停止させる第１ストッパ(320)と第２ストッパ(330)を、検査対象物の搬送方向に沿って設け、１つの読取りモジュール(５)にて第１ストッパ(320)に停止された検査対象物の前端部と、第２ストッパ(330)に停止された検査対象物の後端部を走査する、請求項１乃至３の何れかに記載の検査装置。
【請求項５】
イメージスキャナ(２)内には、読取りモジュール(５)が複数個設けられ、検査対象物の検査面を分割して読取る、請求項１乃至４の何れかに記載の検査装置。
【請求項６】
検査対象物は、半田印刷前基板の精度、プリント基板(４)上に実装された電子部品の有無、位置ズレ、電子部品自体の間違い、極性の間違い、硬化した半田(40)の有無、過少、過多、ブリッジである、請求項１に記載の検査装置。
【請求項７】
検査対象物は、メタルマスク(９)の孔(90)の形状、位置の精度、及び孔(90)周辺の半田肩の付着の有無である、請求項１に記載の検査装置。
【請求項８】
検査対象物は、プリント基板(４)上に印刷された半田(40)又はパターン(41)である、請求項１乃至５の何れかに記載の検査装置。
【請求項９】
半田印刷前基板のパターンを認識する手段と、半田印刷後基板のパターンを認識する手段と、前記半田印刷前基板のパターンと半田印刷後パターンの画像とを重ね合わせ、半田が印刷されていない検査対象外のパターンを一括削除し、削除されなかった半田印刷後のパターン全体をマスターとして面積積算する手段と、該マスターに基づいて検査対象であるパターンの良否判定基準となる面積比率を設定する手段を具え、
判定基準となる面積比率を設定した後に、イメージスキャナ(２)の下側に搬送されてきた検査対象である半田印刷後のパターンの残り面積を求め、該パターンの残り面積のマスターに対する割合が、判定基準となる面積比率以上か否かにより、半田不足を判定する、請求項８に記載の検査装置。
【請求項１０】
半田印刷前基板のパターンを認識する手段と、半田印刷すべき領域が設定されたフォトデータを用いて作成されたフィルム(96)の画像(95)を認識する手段と、半田印刷前基板のパターンとフィルム(96)の画像(95)とを重ね合わせ、フィルム(96)の画像(95)が被さっていない検査対象外のパターンを一括削除し、削除されなかったパターン全体をマスターとして面積積算する手段と、該マスターに基づいて検査対象パターンの良否判定基準となる面積比率を設定する手段を具え、
判定基準となる面積比率を設定した後に、イメージスキャナ(２)の下側に搬送されてきた検査対象である半田印刷後のパターンの残り面積を求め、該パターンの残り面積のマスターに対する割合が、判定基準となる面積比率以上か否かにより、半田不足を判定する、請求項８に記載の検査装置。
【請求項１１】
前記フォトデータをミラー反転して、画像(95)はフィルム(96)の下面に形成される、請求項１０に記載の検査装置。
【請求項１２】
半田印刷前基板のパターンを認識する手段と、半田印刷後基板のパターンを認識する手段と、前記半田印刷前基板のパターンと半田印刷後パターンの画像とを重ね合わせ、半田が被さっていない検査対象外のパターンを一括削除し、削除されなかったパターン画像をマスターとして面積積算する手段を具え、
面積積算後に、イメージスキャナ(２)の下側に搬送されてきた検査対象であるパターン上の半田印刷領域から、半田特定色を抽出し、該半田特定色の箇所を囲む仮想枠(45)から半田印刷領域の面積を推定し、該推定した半田印刷領域の面積と、マスターの面積との比率から、半田不足を判定する、請求項８に記載の検査装置。
【請求項１３】
半田印刷前基板のパターンを認識する手段と、半田印刷すべき領域が設定されたフォトデータを用いて作成されたフィルム(96)の画像(95)を認識する手段と、半田印刷前基板のパターンとフィルム(96)の画像(95)とを重ね合わせ、フィルム(96)の画像(95)が被さっていない検査対象外のパターンを一括削除し、削除されなかったパターン全体をマスターとして面積積算する手段を具え、
面積積算後に、イメージスキャナ(２)の下側に搬送されてきた検査対象であるパターン上の半田印刷領域から、半田特定色を抽出し、該半田特定色の箇所を囲む仮想枠(45)から半田印刷領域の面積を推定し、該推定した半田印刷領域の面積と、マスターの面積との比率から、半田不足を判定する、請求項８に記載の検査装置。
【請求項１４】
前記半田(40)印刷後のパターン画像をノイズ処理する手段と、ノイズ処理されたパターン画像と、マスターの画像とを重ね合わせ、隣接する検査対象パターン(41)(41)又は半田(40)(40)どうしが半田により連結しているか、又は接近しているか否かの判断をする手段を具え、ブリッジ又はブリッジ仕掛かりを判定している、請求項９又は１２に記載の検査装置。
【請求項１５】
半田印刷前基板のパターンとフィルム(96)の画像(95)とで形成されたマスターの画像と、半田(40)印刷後のパターンとを重ね合わせ、隣接する検査対象パターン(41)(41)又は半田(40)(40)どうしが半田により連結しているか、又は接近しているか否かの判断をする手段を具え、ブリッジ又はブリッジ仕掛かりを判定している、請求項１０、１１又は１３の何れかに記載の検査装置。
【請求項１６】
少なくとも１本のガイド軸(21)に沿って移動し、画像読取り部(54)を下側に向けて画像を走査する読取りモジュール(５)及び該読取りモジュール(５)を水平状態に支持する水平支持部材を具えたイメージスキャナ(２)と、該イメージスキャナ(２)の画像読取り部(54)の下側に、半田(40)が印刷されるパターンを設けた基板(４)を搬送する搬送手段と、読取りモジュール(５)が走査した画像を処理してモニター(11)に表示する手段を設けた検査装置を用いた検査方法であって、
搬送手段によって、基板(４)をイメージスキャナ(２)の画像読取り部(54)の下側に搬送する工程と、
読取りモジュール(５)が基板(４)の上から画像を走査する工程と、
半田印刷前基板のパターンを認識し、半田印刷後基板のパターンを認識し、前記半田印刷前基板のパターンと半田印刷後基板パターンの画像とを重ね合わせ、半田が印刷されていない検査対象外のパターンを一括削除し、削除されなかった半田印刷後のパターン画像をマスターとして面積積算する工程と、
該マスターに基づいて検査対象であるパターンの良否判定基準となる面積比率を設定する工程と、
面積比率を設定した後に、イメージスキャナ(２)の下に搬送されてきた検査対象である半田印刷後のパターンの残り面積を求め、該パターンの残り面積のマスターに対する割合が、判定基準となる面積比率以上か否かにより、半田不足を判定する工程と、
半田印刷後のパターン画像とマスターの画像とを重ね合わせ、隣接する検査対象パターン(41)(41)又は半田(40)(40)どうしが半田により連結しているか、又は接近しているか否かの判断をする工程と、
走査した画像を処理してモニター(11)に表示する工程を有する検査方法。